(57)【要約】【課題】  簡単且つ容易に遠隔操作式排水栓を取付でき、しかも低床化に対応可能で、浴槽設置現場での施工作業が非常に楽な浴槽の排水栓構造を提供する【解決手段】  浴槽載置型床パンＡに取り付けられるトラップ接続管２を被蓋するカバーＣ２に遠隔操作式排水栓Ｄの開閉栓支持部ｄ１を備えた排水案内部９を設け、該排水案内部９に浴槽排水口ｂと水密状に係合する係合部１９を設け、該係合部１９を、前記カバーＣ２表面高さレベルから立上げ、その係合部１９の立上げ面１９’に設けたシール材１９ａに圧接するように上方から浴槽排水口ｂ下端を水密状に係合させる。【選択図】図１
2005290738.tif 000002
【特許請求の範囲】
【請求項１】
浴槽排水口下方のトラップ接続管またはトラップに遠隔操作式排水栓の開閉栓支持部を設け、遠隔操作用の伝達手段を、そのトラップ接続管またはトラップを水密状に挿通して前記開閉栓支持部に連結していることを特徴とする浴槽の排水栓構造。
【請求項２】
前記開閉栓支持部を、その開閉栓支持部回りに排水空間を確保して筒状の排水案内部で支持し、該排水案内部を前記トラップ接続管またはトラップに設け、該排水案内部と浴槽排水口とを水密状に係合させて、浴槽排水口、排水案内部を介してトラップ接続管またはトラップに排水可能にしていることを特徴とする請求項１記載の浴槽の排水栓構造。
【請求項３】
前記係合部は排水案内部上端部に形成され、該係合部に浴槽排水口下端を、上方から係脱可能に水密状に係合していることを特徴とする請求項２記載の浴槽の排水栓構造。
【請求項４】
前記排水案内部をトラップ接続管のカバーまたはトラップのカバーに設け、前記係合部は、前記カバー表面高さレベルから立上げられ、その係合部の立上げ面に設けたシール材に圧接するように浴槽排水口下端を水密状に係合していることを特徴とする請求項３記載の浴槽の排水栓構造。
【請求項５】
前記開閉栓支持部で支持される開閉栓を、開栓時に浴槽排水口から槽内に突出しないように構成していることを特徴とする請求項２〜４いずれか１項記載の浴槽の排水栓構造。
【請求項６】
前記浴槽排水口の開放部を多孔蓋で開閉可能に被蓋していることを特徴とする請求項５記載の浴槽の排水栓構造。
【発明の詳細な説明】
【技術分野】
【０００１】
本発明は浴槽の排水栓構造、更に詳しくは操作部の操作力を伝達手段を介して開閉栓に伝達して浴槽排水口を開閉する遠隔操作方式の浴槽の排水栓構造に関するものである。
【背景技術】
【０００２】
従来、この種浴槽の排水栓構造には、浴槽排水口に設けられ排水案内部として機能する排水口部材に遠隔操作式排水栓の開閉栓支持部を設け、その開閉栓支持部に操作部からの操作力を伝達するレリースを、浴槽載置型床パンに取り付けられているトラップのカバーを貫通して配線しているものがある（例えば、特許文献１参照。）。
【０００３】
この先行技術の遠隔操作式排水栓は、操作部に接続されるレリースの他端を、浴槽載置型床パンに取り付けられたトラップのカバーに外部から挿通してトラップ内に引き入れておき、浴槽をその浴槽載置型床パンの所定部位に載置してから、そのレリースを槽内に引き込み、そこでそのレリースの他端を開閉栓支持部に接続し、最後に開閉栓支持部を排水口部材にセットして装設される。
そのため、遠隔操作式排水栓の取付作業を厄介なものにする。
しかも、排水口部材を締め付けフランジ（ナット）で浴槽排水口に締結する必要上、浴槽設置現場での施工を面倒なものにするばかりか、排水口部材、フランジ（ナット）の下方への突出量が低床化を阻害し、浴槽への跨ぎ込み高さを高くする。
【特許文献１】特開２０００−２２０１８７号公報
【発明の開示】
【発明が解決しようとする課題】
【０００４】
本発明は上記従来事情に鑑みてなされたもので、その目的とする処は、簡単且つ容易に遠隔操作式排水栓を取付ることができる浴槽の排水栓構造を提供することにある。
他の目的とする処は、低床化に対応する浴槽の排水栓構造を提供することにある。
更に他の目的とする処は、浴槽設置現場での施工作業が非常に楽な浴槽の排水栓構造を提供することにある。
【課題を解決するための手段】
【０００５】
前記課題を解決するために講じた技術的手段は、浴槽排水口下方のトラップ接続管またはトラップに遠隔操作式排水栓の開閉栓支持部を設け、遠隔操作用の伝達手段を、そのトラップ接続管またはトラップを水密状に挿通して前記開閉栓支持部に連結していることを特徴とする浴槽の排水栓構造である（請求項１）。
浴槽からの排水は、浴槽排水口に対応して設けられているトラップ接続管から洗い場側の排水口等のトラップに流下されるＡタイプや、浴槽排水口に対応して設けられているトラップに直接流下されるＢタイプが存在する。
請求項１のトラップ接続管、トラップは、Ａタイプのトラップ接続管、Ｂタイプのトラップである。
【０００６】
以上の手段によれば、浴槽排水口に対する遠隔操作式排水栓の開閉栓支持部の取付支持作業を皆無にする。
そして、その開閉栓支持部及びその開閉栓支持部に連結される遠隔操作用の伝達手段を、トラップ接続管、トラップに予め備設しておき、それによって浴槽設置時の開閉栓支持部へのその伝達手段の連結作業を皆無にする。
【０００７】
また、前記開閉栓支持部を、その開閉栓支持部回りに排水空間を確保して筒状の排水案内部で支持し、該排水案内部を前記トラップ接続管またはトラップに設け、該排水案内部と浴槽排水口とを水密状に係合させて、浴槽排水口、排水案内部を介してトラップ接続管またはトラップに排水可能にしてあり（請求項２）、その係合部が排水案内部の上端部に形成され、該係合部に浴槽排水口下端を、上方から係脱可能に水密状に係合されていると有効なものである（請求項３）。
【０００８】
以上の手段によれば、浴槽排水口と開閉栓支持部を有する排水案内部とが水密状に係合し、開閉栓支持部を作動させて開閉栓を開栓すると、浴槽排水口、排水案内部を経てトラップ接続管またはトラップに排水する。
そして、その係合は、浴槽排水口を排水案内部に取り合うように浴槽を設置することによって行なう。
【０００９】
また、排水案内部をトラップ接続管のカバーまたはトラップのカバーに設け、前記係合部は、前記カバー表面高さレベルから立上げられ、その係合部の立上げ面に設けたシール材に圧接するように浴槽排水口下端を水密状に係合していると好適なものである（請求項４）。
【００１０】
以上の手段によれば、浴槽排水口下端とトラップ接続管のカバーや、トラップのカバーとの間での介在物を無くすレイアウトで浴槽排水口とトラップ接続管、トラップとを接続する。
【００１１】
そして、前記開閉栓支持部で支持される開閉栓を、開栓時に浴槽排水口から槽内に突出しないように構成していると有効ものであり（請求項５）、またその排水口の開放部を多孔蓋で開閉可能に被蓋している場合も好適なものである（請求項６）。
【００１２】
以上の手段によれば、開栓時に人体等の負荷荷重から開閉栓を防護する。
そして、開閉栓に対する毛髪、水垢、ゴミ類の付着を多孔蓋で防止する。
また、多孔蓋を外して、開閉栓、開閉栓支持部をメンテナンスする。
【発明の効果】
【００１３】
本発明は以上のように構成したから下記の利点がある。
（請求項１）浴槽排水口下方のトラップ接続管またはトラップに遠隔操作式排水栓の開閉栓支持部を設け、遠隔操作用の伝達手段を、そのトラップ接続管またはトラップを水密状に挿通してその開閉栓支持部に連結しているから、その開閉栓支持部の取付支持作業及びその開閉栓支持部に対する遠隔操作用伝達手段の連結作業を浴槽の設置作業に対して無関係にすることができる。
そのため、従来技術で記載しているような、厄介な遠隔操作式排水栓の取付作業を一掃することができる。
（請求項２、３）しかも、浴槽排水口とその開閉栓支持部を有する排水案内部とが水密状に係合する係合部を、浴槽を上方から設置することによって構成するから、浴槽の設置作業を面倒なものにしない。
また、その係合も、浴槽を上方から設置することによって自ずと構成するものであるから、従来技術のような締結作業を必要とせず、更なる作業性の向上を図ることができる。
（請求項４）そして、その係合部を、トラップ接続管のカバー表面高さレベルやトラップのカバー表面高さレベルから立上げ、その係合部の立上げ面に設けたシール材に圧接するように浴槽排水口下端を水密状に係合しているので、浴槽排水口下端とトラップ接続管のカバーや、トラップのカバーの間に介在物が無くなり、その分、浴槽を低く設置して低床化に寄与し、浴槽の跨ぎ込み高さを低くするバリアフリー対策に有効なものである。
（請求項５）その上、開栓時の開閉栓が誤って作用する人体等の負荷荷重から防護して、開閉栓や開閉栓支持部等の損傷を防止する。
（請求項６）しかも、その開閉栓を隠す蓋で毛髪、水垢、ゴミ類を除去するようになるから、例えば開閉栓支持部回りや開閉栓と開閉栓支持部との間にヘアーキャッチャー、ストレーナーを配設した場合のように排水案内部全高が高くならず、低床化に、より貢献することができる。
【発明を実施するための最良の形態】
【００１４】
次に本発明床パン載置型浴槽の排水栓構造の実施の形態を図面に基づいて説明すると、図１及び図２はその第１の実施の形態を、図３は同第２の実施の形態を、更に図４は第３の実施の形態を各々示している。
【実施例１】
【００１５】
まず、図１及び図２に示す第２の実施の形態について説明すると、この実施の形態は、洗い場側の排水口に対応してトラップを配設し、該トラップに浴槽排水口直下に取付たトラップ接続管を接続した床パン載置型浴槽の排水栓構造を示している。
図１において、符号Ａは浴槽載置型床パン、Ｂは浴槽、１はトラップ、２はトラップ接続管である。
浴槽載置型床パンＡは、従来から周知なように一半部の浴槽載置部ａ１と他半部の洗い場部ａ２とを土手部ａ３を介して連設してなり、その浴槽載置部ａ１にパン排水口３が、洗い場部ａ２に洗い場排水口４が各々開口されている。
【００１６】
洗い場排水口４は、洗い場部ａ２から一段低く凹設された凹段部ａ２−１の底に開口されている。
トラップ１は、環状のトラップ締付部材５をその洗い場排水口４を挿通して上端のトラップ開放部に螺嵌することによって洗い場部ａ２に吊持状に取付けられており、そのトラップ締付部材５にヘアーキャッチャー１６を有する蓋６が一体的もしくは係脱可能に係合されており、前記トラップ締付部材５と前記蓋６とでトラップ１のカバーＣ１を構成している。
【００１７】
前記トラップ１には、前記トラップ締付部材５下端に形成されている掛止鍔１５に封水筒１１が引掛けられている。
【００１８】
一方、パン排水口３は、浴槽載置部ａ１から一段低く凹設した凹窪部ａ１−１の底に開口されている。
前記トラップ接続管２は、環状の締付部材７を、パン排水口３を挿通して上端の開放部に螺嵌することによって浴槽載置部ａ１に吊持状に取付られており、その締付部材７に排水目皿１８を有する蓋８を一体的もしくは係脱可能に係合して、前記締付部材７と前記蓋８とでトラップ接続管２のカバーＣ２を構成している。
【００１９】
前記トラップ接続管２のカバーＣ２には、遠隔操作式排水栓Ｄの開閉栓支持部ｄ１を有する排水案内部９が設けられている。この実施の形態では排水案内部９が前記蓋８の周囲の部分に排水目皿１８を残すように中央部に設けられている。
そして、前記トラップ接続管２は、接続ホース１０を介して前記トラップ１に接続される。
【００２０】
前記排水案内部９は、この実施の形態では図２に示すように浴槽排水口ｂの下端を内嵌するために前記カバーＣ２表面高さレベルから立ち上げられた係合部１９下端から開閉栓ｄ２の着座面２９を求心方向に下向き傾斜状に連設し、その着座面２９から排水筒３９を垂設し、その排水筒３９から求心方向に向かう複数本のリブ４９を設けてそのリブ４９間を排水空間５９とすると共にそのリブ４９複数本の先端間で挿脱空間６９を確保し、該挿脱空間６９に、遠隔操作式排水栓Ｄの開閉栓支持部ｄ１を抜差し可能に係合し、その開閉栓支持部ｄ１で開閉栓ｄ２を支持する構成になっている。
そして、前記開閉栓支持部ｄ１は、その下端側に前記リブ４９の下端に設けた係止凸部４９ａに係脱する係合凹部ｄ１−１を設け、故意に引抜けば、外れるようになっている。
【００２１】
前記開閉栓支持部ｄ１は、内部中空な支持部本体ｄ１−２内に遠隔操作用の伝達手段であるレリースｄ３の進動側でロックと、ロック解除とを交互に繰り返す従来から周知のスラストロック機構（図示せず）またはレリースｄ３の一端側と開閉栓ｄ２の支持軸ｄ２−１とを連絡する連絡部を内蔵してなり、レリースｄ３の伝達力を受けて支持軸ｄ２−１を介して開閉栓ｄ２が交互に上昇、下降するようになっている。
尚、前記開閉栓支持部ｄ１に前記のように連絡部を内蔵している場合には、操作部側にロックとロック解除を交互に行うスラストロック機構を設けること云うまでもなく、操作部の押し引きで排水栓が上昇、下降する遠隔操作式排水栓の場合には、スラストロック機構は必要ではないものである。
尚、前記係合部１９は、前記蓋８に凹設された凹部で構成し、その凹部に前記浴槽排水口ｂの下端がシール材を介して水密状に嵌合するようにしても良いものである。
【００２２】
また、排水案内部９は、図５に示すように前記排水筒３９下端に間隔をおいて被載承部７９を内側に向けて突設すると共に、その被載承部７９間の排水筒３９下端に係合溝８９を刻設する形成する一方、開閉栓支持部ｄ１を、支持部本体ｄ１−２と、その支持部本体ｄ１−２から放射状に一体に延設したリブｄ１−３と、そのリブｄ１−３先端を連結してリブｄ１−３間に排水空間５９を確保する外輪板ｄ１−４と、その外輪板ｄ１−４の下端から縦スリットｄ１−６を介して下方に垂設された支持脚ｄ１−５とを備え、該支持脚ｄ１−５の下端に弾性係合爪ｄ１−７を設けて、該弾性係合爪ｄ１−７が前記係合溝８９に弾性的に係合すると同時にその支持脚ｄ１−５間の外輪板ｄ１−４下端部分が前記被載承部７９に載承されるようにして、上方から外輪板ｄ１−４下端が被載承部７９に載承されるようにして弾性係合爪ｄ１−７を係合溝８９に係合することによって支持部本体ｄ１−２で支持される開閉栓ｄ２を浴槽排水口ｂ内に配置し、弾性係合爪ｄ１−７に対する係合溝８９の係合力に抗して上方に引き抜くことによって開閉栓支持部ｄ１が抜取れるようにしても良いものである（特開平１１−９９０７７号公報等参照）。
【００２３】
前記開閉栓支持部ｄ１の下端に一端側が接続される前記レリースｄ３は、トラップ接続管２の任意箇所に貫通されたゴムブッシュ１００に水密状に挿通して配線され、浴槽Ｂの上縁面や浴槽エプロンｂ１等所望箇所に設置した操作部ｄ４にその他端側が接続されて、伝達力が付与されるようになっている。
【００２４】
前記係合部１９には立上げ面（内面）１９’には緩衝機能を有するシール材１９ａが貼着されており、そのシール材１９ａを圧接するように浴槽排水口ｂの下端を水密状に係合（嵌合）するようになっている。
【００２５】
前記開閉栓ｄ２は、前記のように浴槽載置型床パンＡに取り付けられるトラップ接続管２のカバーＣ２に設けた排水案内部９の開閉栓支持部ｄ１に支持されている。
そのため、排水口部材に支持した場合に比べて、その開閉栓支持部ｄ１が低い位置なる。
それ故、開閉栓ｄ２は、着座面２９に着座する閉栓状態から開栓状態に移行した時に、浴槽排水口ｂから槽内に突出しないようになり、その開閉栓ｄ２の上方を、浴槽排水口ｂを抜差し可能に被蓋する多孔蓋ｂ２で開閉可能にしている。
前記多孔蓋ｂ２は、排水目皿であり、毛髪、水垢等を除去する程度の目の粗さになっている。
【００２６】
以上のように構成されている浴槽の排水栓構造では、浴槽載置型床パンＡにトラップ接続管２をカバーＣ２で吊持状に取付ることによって、自ずと排水空間５９を有する排水案内部９と共に遠隔操作式排水栓Ｄのその開閉栓支持部ｄ１が所定位置に設置される。
そして、上方から浴槽排水口ｂ下端が係合部１９に水密状に係合するように設置することによって、開閉栓ｄ２は浴槽排水口ｂ内に収容されて浴槽Ｂがセットされる。
レリースｄ３は、予めトラップ接続管２から外部に引き出しておき、浴槽Ｂのセット後に操作部ｄ４にその他端側が接続される。
そして、開閉栓ｄ２は、浴槽排水口ｂを被蓋する多孔蓋ｂ２に干渉することなく浴槽排水口ｂ内で上昇、下降を交互に繰り返して開栓、閉栓し、多孔蓋ｂ２で付着除去される毛髪、ゴミ類は、上方から剥がしたり、多孔蓋ｂ２を抜取って取除く。
また、開閉栓ｄ２、開閉栓支持部ｄ１のメンテナンスや交換等は、多孔蓋ｂ２を抜取った後、上方に開閉栓支持部ｄ１を引き抜いて行なえば良いものである。
【実施例２】
【００２７】
次に図３に示す第２の実施の形態を説明すると、この実施の形態は、前記トラップ接続管２がトラップ１になっている場合の実施の形態であり、封水筒１１が締付部材７下端の掛止鍔１７に引っ掛けられていることを除けば前記する実施の形態と同様であるため、同一符号を付して具体的説明は省略する。
【実施例３】
【００２８】
次に図４に示す第３の実施の形態を説明すると、この実施の形態は、床スラブ設置型の浴槽Ｂの場合を示している。
この実施の形態の浴槽排水口ｂ直下には、トラップ接続管２が床スラブＥ上方に支持されている。
そのトラップ接続管２は、洗い場排水口に取り付けられたトラップに接続することによって間接的に床スラブＥ上方位置に支持されており、そのトラップ接続管２の開放部を内周下端に引っ掛け部１２ａを有する環状部材１２と、その環状部材１２に係脱可能に係合される蓋２２とからなるカバーＣ２で閉塞し、そのカバーＣ２に前記第１の実施の形態と同様に開閉栓支持部ｄ１を支持する排水案内部９を一体的に設けている。符号Ｆは浴槽の支持脚である。
他の構成は前記する第１の実施の形態と同様であるため、同一符号を付して具体的説明は省略する。
尚、この実施の形態の前記トラップ接続管２がトラップの場合も本発明は包含するものである。
【図面の簡単な説明】
【００２９】
【図１】第１の実施の形態の正面断面図。
【図２】第１の実施の形態の要部を示す正面拡大断面図で、開閉栓や開閉栓支持部を交換したり、メンテナンスする状態を示す。
【図３】第２の実施の形態の正面拡大断面図で要部のみを示す。
【図４】第３の実施の形態の正面断面図で要部のみを示す。
【図５】変形例の開閉栓支持部、排水案内部を使用した浴槽の排水栓構造の正面拡大断面図で要部のみを示し一部切欠する。
【符号の説明】
【００３０】
Ａ：浴槽載置型床パン            ２：トラップ接続管
１：トラップ            Ｃ１、Ｃ２：カバー
Ｄ：遠隔操作式排水栓          ｄ２：開閉栓
ｄ１：開閉栓支持部                ９：排水案内部
ｂ：浴槽排水口                １９：係合部
ｂ２：多孔蓋                  １９’：立上げ面
１９ａ：シール材                  ５９：排水空間
ｄ３：レリース（伝達手段）
【図１】
2005290738.tif 000003
【図２】
2005290738.tif 000004
【図３】
2005290738.tif 000005
【図４】
2005290738.tif 000006
【図５】
2005290738.tif 000007